(57)【要約】【課題】ステージを厚いものから薄いものに交換したときに、コンデンサレンズがスライドガラスやステージにぶつからないようにする。【解決手段】３枚の板からなるステージに代えて２枚の板３１ａ，３１ｂからなるステージ３１をサブステージ１に装着するとき、コンデンサホルダ４がサブステージ１の下面１Ａに当接する前にコンデンサレンズ２３がスライドガラス２２やステージ３１にぶつからないように、調整駒３５をサブステージ１の下面１Ａとコンデンサホルダ４の上面４Ａとの間に配置した。【選択図】図３
2008191545.tif 000002
【特許請求の範囲】
【請求項１】
厚みの異なるステージを装着可能なサブステージと、
前記サブステージに対して上下動可能なように前記サブステージの下部に装着され、前記ステージ上の試料に照明光を集光させるためのコンデンサレンズを保持するコンデンサレンズホルダと、
前記サブステージと前記コンデンサレンズホルダとの間に設けられ、前記コンデンサレンズホルダを上方へ移動させたとき、前記サブステージと前記コンデンサレンズホルダとの間隔を規制する移動規制手段と
を備えていることを特徴とするコンデンサレンズ位置決め装置。
【請求項２】
前記移動規制手段は、前記サブステージ及び前記コンデンサレンズホルダのいずれか一方に設けられた磁石と、この磁石に吸着される調整部材とで構成されることを特徴とする請求項１記載のコンデンサレンズ位置決め装置。
【請求項３】
前記磁石は前記サブステージの下面又はその下面と対向する前記コンデンサレンズホルダの上面に形成された凹部に配置され、前記磁石の先端部は前記サブステージの下面又は前記コンデンサレンズホルダの上面より引っ込んだ位置にあることを特徴とする請求項２記載のコンデンサレンズ位置決め装置。
【請求項４】
前記移動規制手段は、前記コンデンサレンズホルダの上面に形成された凹部と、この凹部と嵌合可能であり、前記サブステージの下面に当接可能な調整部材とで構成されることを特徴とする請求項１記載のコンデンサレンズ位置決め装置。
【請求項５】
前記移動規制手段は、前記コンデンサレンズホルダの上面に形成されためねじと、このめねじに螺合可能なおねじ部を有し、前記サブステージの下面に当接可能な調整部材とで構成されることを特徴とする請求項１記載のコンデンサレンズ位置決め装置。
【請求項６】
請求項１〜５のいずれか１項記載のコンデンサレンズ位置決め装置を備えていることを特徴とする顕微鏡。
【発明の詳細な説明】
【技術分野】
【０００１】
この発明はコンデンサレンズ位置決め装置及びこれを備えた顕微鏡に関する。
【背景技術】
【０００２】
従来、透過照明によって顕微鏡観察を行う場合、試料と対物レンズとの間の距離を変えてピントを合わせるために試料又は対物レンズを上下動させる。また、ケーラー照明によって試料を均一に照明する（最適な照明状態にする）ためにコンデンサレンズを上下動させる必要がある。
【０００３】
コンデンサレンズはコンデンサホルダに保持されている。コンデンサホルダは、視野絞り像がスライドガラスの上面（試料）に結像するようにコンデンサレンズをステージ又はステージが取り付けられるサブステージに上下動可能に支持されている。ステージとしては、例えば上板、中板、下板の３枚の板で構成され、上板に搭載された試料を２次元方向に移動可能としたものが知られている（特開２００２−２０７１７６号公報参照）。
【０００４】
観察者は試料に対してピントを合わせた後、透過照明の視野絞り像がスライドガラスの上面に結像するようにコンデンサレンズを上下動させる。このとき、観察者はまずコンデンサホルダをサブステージの下面に当接するまで上昇させる。次に、透過照明の視野絞り像を絞った状態、すなわち視野内に視野絞り像が見える状態にする。その後、コンデンサホルダを徐々に降下させ、スライドガラスの上面に視野絞り像が結像するようにコンデンサレンズの位置を調整する。
【０００５】
コンデンサレンズの位置の調整は上記のように行われるが、従来のコンデンサホルダのステージ側の上面は上方制限面となっており、コンデンサホルダをサブステージの下面に当接するまで上昇させ、上方制限面とステージ下面とが接触しても、コンデンサレンズがスライドガラスやステージにぶつからない配置になっている。
【特許文献１】特開２００２−２０７１７６号公報
【発明の開示】
【発明が解決しようとする課題】
【０００６】
しかし、例えば鉱物観察用の３枚の板で構成されるステージを生物観察用の２枚の板で構成されるステージに交換した場合、鉱物観察用と生物観察用とのステージとコンデンサレンズとの位置関係は異なるので、コンデンサレンズを上昇させたときにコンデンサホルダがサブステージの下面に当接する前にコンデンサレンズがスライドガラスやステージにぶつかってしまうおそれがある。
【０００７】
この発明はこのような事情に鑑みてなされたもので、その課題はステージを厚いものから薄いものに交換したときに、コンデンサレンズがスライドガラスやステージにぶつからないようにすることである。
【課題を解決するための手段】
【０００８】
上記課題を解決するため請求項１記載の発明は、厚みの異なるステージを装着可能なサブステージと、前記サブステージに対して上下動可能なように前記サブステージの下部に装着され、前記ステージ上の試料に照明光を集光させるためのコンデンサレンズを保持するコンデンサレンズホルダと、前記サブステージと前記コンデンサレンズホルダとの間に設けられ、前記コンデンサレンズホルダを上方へ移動させたとき、前記サブステージと前記コンデンサレンズホルダとの間隔を規制する移動規制手段とを備えていることを特徴とする。
【発明の効果】
【０００９】
この発明によれば、ステージを厚いものから薄いものに交換したときに、コンデンサレンズがスライドガラスやステージにぶつからない。
【発明を実施するための最良の形態】
【００１０】
以下、この発明の実施の形態を図面に基づいて説明する。
【００１１】
図１はこの発明の第１実施形態に係る顕微鏡の側面図であり、一部を破断して示している。
【００１２】
この顕微鏡は、ベース部５と、支柱部６と、片持ちアーム７と、サブステージ１と、コンデンサホルダ４と、サブステージ１とコンデンサホルダ４とを共に上下動させる上下動ハンドル３とを備えている。
【００１３】
ベース部５の一端部には垂直方向へ延びる支柱部６が設けられている。また、ベース部５の背面には透過照明系用ランプ（図示せず）を取り付けるためのアダプタ２が設けられている。
【００１４】
支柱部６の上端部には水平方向へ延びる片持ちアーム７が設けられている。片持ちアーム７の下部には対物レンズ（図示せず）が例えばレボルバ（図示せず）を介して取り付けられ、上部には接眼部を有する鏡筒（図示せず）が取り付けられる。
【００１５】
上下動ハンドル３はベース部５に設けられている。上下動ハンドル３は支柱部６に平行な方向、つまり装着される対物レンズの光軸に沿った方向にサブステージ１を上下動させる。
【００１６】
サブステージ１にはコンデンサホルダ４が上下動可能に装着されている。
【００１７】
図２は顕微鏡の一部を示す破断面図である。
【００１８】
サブステージ１の上面にはステージ２１が装着されている。ステージ２１は上板２１ａ、中板２１ｂ、下板２１ｃの３枚の板で構成されている。上板２１ａは中板２１ｂに対してＸ方向へ移動可能であり、中板２１ｂは下板２１ｃに対してＹ方向へ移動可能である。上板２１ａの上面には開口を塞ぐようにスライドガラス２２が載置されている。下板２１ｃはボルト（図示せず）によってサブステージ１の上面に固定されている。上記構成によって、スライドガラス２２を２次元方向へ移動させることができる。
【００１９】
コンデンサホルダ４にはコンデンサレンズ２３が装着されている。サブステージ１の下面１Ａと対向するコンデンサホルダ４の上面４Ａに形成された凹部４ａには磁石３４（例えばフェライト磁石、希土類コバルト磁石）が接着剤で固定されている。磁石３４はサブステージ１の下面１Ａにわずかな隙間を介して対向している。
【００２０】
コンデンサホルダ４を上昇させたとき、コンデンサホルダ４の上面４Ａがサブステージ１の下面に当接し、コンデンサホルダ４の上方への移動が規制され、コンデンサレンズ２３がスライドガラス２２に衝突することが阻止される。
【００２１】
次に、照明状態の調整方法を説明する。
【００２２】
まず、図２に示す３枚の板２１ａ，２１ｂ，２１ｃで構成されるステージ２１が装着された顕微鏡の場合、ステージ上下動ハンドル３を動かしてサブステージ１を上下動させてスライドガラス２２の上面（観察面）にピントを合わせる。次に透過照明の視野絞り（図示せず）をその像が視野内に入るように絞り込む。
【００２３】
次に、観察面にピントを合わせた状態のまま、コンデンサホルダ４（コンデンサレンズ２３）を上昇（Ｚ方向へ移動）させてコンデンサホルダ４の上面４Ａをサブステージ１の下面１Ａに当接させる。
【００２４】
図２の顕微鏡は、３枚の板２１ａ，２１ｂ，２１ｃで構成されるステージ２１が装着される顕微鏡としてコンデンサホルダ４の配置を考慮して設計されているので、コンデンサレンズ２３がスライドガラス２２に衝突することがない。
【００２５】
その後、コンデンサホルダ４を徐々に下降（Ｚ方向へ移動）させて視野絞り像をスライドガラス２２の上面に結像させる。その結果、最適な照明状態に調整される。
【００２６】
次に、上板２１ａ、中板２１ｂ、下板２１ｃの３枚の板で構成される図２のステージ２１を上板３１ａ、下板３１ｂの２枚の板で構成される図３のステージ３１（ステージ２１より薄いステージ）に交換した場合の照明状態の調整方法を説明する。
【００２７】
この場合、前述したように、コンデンサホルダ４がサブステージ１の下面１Ａに当接する前にコンデンサレンズ２３がスライドガラス２２やステージ３１にぶつかるので、それを避けるために図３に示す調整駒（調整部材）３５が用いられる。
【００２８】
図３（ａ）は顕微鏡の一部を示す破断面図、図３（ｂ）はその部分拡大図である。
【００２９】
サブステージ１の上面にはステージ３１が装着されている。ステージ３１は上板３１ａ、下板３１ｂの２枚で構成されている。上板３１ａは下板３１ｂに対してＹ方向へ移動可能である。上板３１ａの上面３１ｃにはスライドガラス２２が載置され、スライドガラス２２は上板３１ａの移動方向と直交する方向（Ｘ方向）へ移動可能な爪（図示せず）によって上板３１ａに保持されている。下板３１ｂは丸アリＤＧを介してサブステージ１の上面に固定されている。上記構成によって、スライドガラス２２を２次元方向へ移動させることができる。
【００３０】
サブステージ１とコンデンサレンズホルダ４との間には調整駒３５が配置されている。
【００３１】
図２に示す３枚の板２１ａ，２１ｂ，２１ｃで構成されるステージ２１から図３に示す２枚の板３１ａ，３１ｂで構成されるステージ３１に交換した場合、コンデンサホルダ４の上面４Ａとステージ３１の上板３１ａとの間隔は小さくなる。しかし、調整駒３５によって小さくなった間隔を補うことができ、コンデンサホルダ４の上方への移動が規制され、コンデンサレンズ２３は図３（ａ）に示す位置から上方へ移動しない。このとき、コンデンサレンズ２３はスライドガラス２２やステージ３１にぶつかっていない。調整駒３５は鉄等の磁性材料で形成され、磁石３４によってコンデンサレンズホルダ４に吸着されている。磁石３４と調整駒３５とで移動規制手段が構成される。
【００３２】
上記構成とすることによって、上板２１ａ、中板２１ｂ、下板２１ｃで構成されるステージ２１を上板３１ａ、下板３１ｂで構成されるステージ３１に交換した場合、上記した調整方法と同様の調整方法によって照明状態を最適（ケーラー照明）にすることができる。
【００３３】
なお、上板３１ａ、下板３１ｂで構成されるステージ３１を上板２１ａ、中板２１ｂ、下板２１ｃで構成されるステージ２１に交換する場合、コンデンサレンズ２３を最適な照明状態となる位置まで上昇させることができなくなるので、調整駒３５が外される。
【００３４】
この実施形態によれば、調整駒３５によってコンデンサレンズホルダ４の上方への移動量を規制したので、本実施形態のようにステージを構成する板の数が異なる場合だけでなくステージ全体の厚みの異なるステージ２１、３１を使用した場合でも、コンデンサレンズ２３がスライドガラス２２やステージ３１にぶつかることを防止できる。
【００３５】
なお、上記実施形態ではコンデンサホルダ４側に磁石３４を固定したが、磁石３４はサブステージ１側に固定してもよい。調整駒３５と磁石３４との間にわずかな隙間が存在するが、磁力による調整駒３５の装着は可能である。
【００３６】
図３（ｂ）に示すように、磁石３４は凹部４ａに配置されるが、磁石３４は凹部４ａが形成されるサブステージ１の下面又はコンデンサホルダ４の上面よりもわずかに引っ込んだ状態で設置することが好ましい。磁石３４を設けるサブステージ１の下面やコンデンサホルダ４の上面は高い平面度が要求される。しかし、磁石３４は平面度を持たせる加工が困難である。そのため、磁石３４が突出した状態とすることは好ましくない。
【００３７】
図４（ａ）はこの発明の第２実施形態に係る顕微鏡の一部を示す破断面図、図４（ｂ）はその部分拡大図である。なお、第１実施形態と共通する部分には同一符号を付してその説明を省略する。
【００３８】
この実施形態は、コンデンサレンズホルダ４の上面４Ａに形成された凹部４４ｂにロッド（調整部材）４５を嵌合させることによってコンデンサレンズホルダ４の上方への移動を規制するようにした点で、第１実施形態と相違する。長さの異なるロッド４５を複数用意しておくことで、厚さの異なる各種のステージ３１に対応することができる。凹部４４ｂにロッド４５とで移動規制手段が構成される。
【００３９】
この実施形態によれば、第１実施形態と同様の効果を奏するとともに、第１実施形態のように磁石３４を用いなくてもよいので、製造コストを低減することができる。
【００４０】
図５（ａ）はこの発明の第３実施形態に係る顕微鏡の一部を示す破断面図、図５（ｂ）はその部分拡大図である。なお、第１、２実施形態と共通する部分には同一符号を付してその説明を省略する。
【００４１】
この実施形態は、コンデンサレンズホルダ４の上面４Ａに形成された凹部５４にめねじ５４Ｃを形成するとともに、めねじ５４Ｃに調整ねじ（調整部材）５５のおねじ部５５Ｃを螺合させることによってコンデンサレンズホルダ４の上方への移動を規制するようにした点で、第１実施形態と相違する。長さの異なる調整ねじ５５を複数用意しておくことで、厚さの異なる各種のステージ３１に対応することができる。めねじ５４Ｃと調整ビス５５とで移動規制手段が構成される。
【００４２】
この実施形態によれば、第１実施形態と同様の効果を奏するとともに、調整ねじ５５を用いたので、調整ねじ５５とコンデンサホルダ４との固着がより強くなり、第１、２実施形態に比べて調整ねじ５５の脱落等の心配がない。
【図面の簡単な説明】
【００４３】
【図１】図１はこの発明の第１実施形態に係る顕微鏡の側面図である。
【図２】図２は顕微鏡の一部を示す破断面図である。
【図３】図３（ａ）は顕微鏡の一部を示す破断面図、図３（ｂ）はその部分拡大図である。
【図４】図４（ａ）はこの発明の第２実施形態に係る顕微鏡の一部を示す破断面図、図４（ｂ）はその部分拡大図である。
【図５】図５（ａ）はこの発明の第３実施形態に係る顕微鏡の一部を示す破断面図、図５（ｂ）はその部分拡大図である。
【符号の説明】
【００４４】
１：サブステージ、４：コンデンサレンズホルダ、２１，３１：ステージ、２３：コンデンサレンズ、３４：磁石、３５：調整駒（調整部材）、４ａ，４４ｂ：凹部、４５：ロッド（調整部材）、５４Ｃ：めねじ、５５：調整ビス（調整部材）、５５Ｃ：おねじ部。
【図１】
2008191545.tif 000003
【図２】
2008191545.tif 000004
【図３】
2008191545.tif 000005
【図４】
2008191545.tif 000006
【図５】
2008191545.tif 000007